【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】
移動局のためのチャネル選択方法であって、
前記移動局の位置を決定するステップと、
１つ以上の基地局から送信された信号のチャネル品質測定を周期的に遂行するステップとを含み、
前記チャネル品質測定を遂行する前記ステップの頻度は前記移動局の前記位置の関数であることを特徴とするチャネル選択方法。
【請求項２】
請求項１記載のチャネル選択方法において、前記チャネル品質測定を遂行する前記ステップの前記頻度は前記移動局にサービスを提供する第１基地局に関する前記移動局の相対位置の関数であるチャネル選択方法。
【請求項３】
請求項１記載のチャネル選択方法において、前記チャネル品質測定を遂行する前記ステップの前記頻度は前記移動局にサービスを提供する第１基地局と少なくとも１つの追加基地局とに関する前記移動局の相対位置の関数であるチャネル選択方法。
【請求項４】
請求項３記載のチャネル選択方法において、前記少なくとも１つの追加基地局の前記位置は前記第１基地局によって前記移動局へ送信されるチャネル選択方法。
【請求項５】
請求項４記載のチャネル選択方法において、前記少なくとも１つの追加基地局の前記位置は前記第１基地局によって前記移動局へ送信されるネイバ・リストに含まれるチャネル選択方法。
【請求項６】
請求項１記載のチャネル選択方法において、前記チャネル品質測定を遂行する前記ステップの前記頻度は前記移動局の移動度の関数であるチャネル選択方法。
【請求項７】
請求項６記載のチャネル選択方法において、前記チャネル品質測定を遂行する前記ステップの前記頻度は前記移動局の前記位置の変化率の関数であるチャネル選択方法。
【請求項８】
請求項６記載のチャネル選択方法において、前記チャネル品質測定を遂行する前記ステップの前記頻度は前記移動局が前記位置に滞在する時間の長さの関数であるチャネル選択方法。
【請求項９】
請求項１記載のチャネル選択方法において、前記チャネル品質測定は前記移動局が遊休モードにある間に前記移動局によって遂行されるチャネル選択方法。
【請求項１０】
請求項１記載のチャネル選択方法において、前記チャネル品質測定は前記移動局がパケット交換呼に従事している間に前記移動局によって遂行されるチャネル選択方法。
【請求項１１】
請求項１記載のチャネル選択方法において、前記チャネル品質測定は前記移動局が回線交換呼に従事している間に前記移動局によって遂行されるチャネル選択方法。
【請求項１２】
請求項１記載のチャネル選択方法において、前記移動局はセル選択に前記チャネル品質測定を使用するチャネル選択方法。
【請求項１３】
請求項１記載のチャネル選択方法であって、前記移動局から前記移動局にサービスを提供する第１基地局へ前記チャネル品質測定を送信するステップを更に含むチャネル選択方法。
【請求項１４】
請求項１３記載のチャネル選択方法であって、前記チャネル品質測定に基づいて前記第１基地局でハンドオフ決定を行うステップを更に含むチャネル選択方法。
【請求項１５】
移動局の位置を決定する決定方法であって、
第１時刻に前記移動局の位置を決定するステップと、
前記位置を周期的に更新するステップであって、前記更新する頻度が前記移動局の前記位置の関数である前記位置を周期的に前記更新する前記ステップとを含み、かつ
前記位置を更新する前記ステップの前記頻度は前記移動局が前記位置に滞在する時間の長さの関数である決定方法。
【請求項１６】
請求項１５記載の決定方法において、前記更新は前記移動局が遊休モードにある間に前記移動局によって遂行される決定方法。
【請求項１７】
請求項１５記載の決定方法において、前記更新は前記移動局がパケット交換呼に従事している間に前記移動局によって遂行される決定方法。
【請求項１８】
請求項１５記載の決定方法において、前記更新は前記移動局が回線交換呼に従事している間に前記移動局によって遂行される決定方法。
【請求項１９】
請求項１５記載の決定方法であって、前記移動局から前記基地局へ位置情報を送信するステップを更に含む決定方法。
【請求項２０】
移動局によるチャネル選択方法であって、
第１基地局で前記移動局にサービスを提供するステップと、
隣接基地局及び各隣接基地局との対応位置のリストを生成するステップと、
隣接基地局及び各隣接基地局との対応位置の前記少なくとも１つのリストを前記移動局へ送信するステップと
を含むチャネル選択方法。
【請求項２１】
請求項２０記載の方法において、隣接基地局及び各隣接基地局との対応位置の前記リストを送信する前記ステップは放送チャネルで送信される方法。
【請求項２２】
請求項２０記載の方法において、隣接基地局及び各隣接基地局との対応位置の前記リストを送信する前記ステップはポイント・ツー・ポイント・チャネルで送信される方法。
【請求項２３】
請求項２０記載の方法において、前記リストは複数のエリア定義を含み、及び前記リスト内の前記隣接基地局は前記リスト内の前記エリア定義の少なくとも１つと関連している方法。
【請求項２４】
移動局であって、
無線周波数信号を送信しかつ受信するトランシーバと、
前記トランシーバによって受信された選択された信号にチャネル品質測定を周期的に遂行するために前記トランシーバに動作上接続された信号プロセッサと、
前記基地局の位置の関数として前記チャネル品質測定を遂行する頻度を変更するように前記信号プロセッサと前記トランシーバとを制御する制御手段とを含む移動局。
【請求項２５】
請求項２４記載の移動局において、前記制御手段は前記移動局にサービスを提供する第１基地局に関する前記移動局の相対位置に基づいて前記チャネル品質測定を遂行する頻度を変更する移動局。
【請求項２６】
請求項２４記載の移動局において、前記制御手段は前記移動局にサービスを提供する第１基地局と少なくとも１つの追加基地局とに関する前記移動局の相対位置に基づいて前記チャネル品質測定を遂行する頻度を変更する移動局。
【請求項２７】
請求項２４記載の移動局において、前記制御手段は前記移動局の移動度に基づいて前記チャネル品質測定を遂行する頻度を変更する移動局。
【請求項２８】
請求項２７記載の移動局において、前記制御手段は前記移動局の前記位置の変化率に基づいて前記チャネル品質測定を遂行する頻度を変更する移動局。
【請求項２９】
請求項２７記載の移動局において、前記制御手段は前記移動局が前記位置に滞在している時間の長さに基づいて前記チャネル品質測定を遂行する頻度を変更する移動局。
【請求項３０】
請求項２４記載の移動局であって、前記移動局の位置を決定する測位受信機を更に含む移動局。
【請求項３１】
移動局であって、
無線周波数信号を送信しかつ受信するトランシーバと、
前記移動局の位置を周期的に決定する測位受信機と、
前記トランシーバと前記測位受信機とを制御する制御手段であって、前記制御手段は前記移動局の前記位置の関数として前記位置を決定する頻度を変更する前記制御手段と
を含み、かつ
前記制御手段は前記移動局が前記位置に滞在する時間の長さに基づいて前記移動局の前記位置を決定する頻度を変更するようになっている移動局。
【請求項３２】
移動局を制御する制御方法であって、
前記移動局の位置を決定するステップと、
周期的タスクを遂行するステップであって、前記タスクを遂行する頻度は前記移動局の前記位置の関数である前記周期的タスクを遂行するステップと
を含み、かつ
前記チャネル品質測定を遂行する前記ステップの前記頻度は前記移動局が前記位置に滞在する時間の長さの関数である制御方法。